(57)【要約】【課題】転送すべき画像データが誤って消去されることのない電子機器の提供。【解決手段】転送マーキングボタンを操作して画像ファイル４５に転送マーキングを付加すると、電子カメラのメモリカードに作成されたリストファイル４７に、転送マーキングが付加された画像ファイル４５のファイル名４８が記録される。リストファイル４７にファイル名４８が記録された画像ファイルは、削除禁止とされる。そのため、転送マーキングが付加された画像ファイル４５の誤削除を防止することができる。【選択図】図４
2011061818.tif 000002
【特許請求の範囲】
【請求項１】
被写体を撮像する撮像手段と、
前記撮像手段により撮像された画像の画像ファイルを記録媒体に記録する記録手段と、
転送すべき画像ファイルを特定する転送画像特定情報を、前記画像ファイルとは別個に前記記録媒体に形成する特定情報形成手段と、
前記記録媒体に記録された画像ファイルを外部記録装置へ転送するための通信手段と、
前記転送画像特定情報で特定された画像ファイルの前記通信手段による転送を指示する転送指示操作部と、
ユーザによる操作により特定された画像ファイルの削除を指示する削除指示操作部材と、
前記削除指示操作部材の指示に基づいて特定された画像ファイルを削除する処理手段と、
前記転送画像特定情報を参照して、削除指示操作部材により指示された画像ファイルが、転送すべき画像ファイルであるか否かを判定する判定手段と、
前記判定手段により転送すべきと判定された画像ファイルを、前記処理手段が削除することを禁止する禁止手段と、を備えたことを特徴とする電子機器。
【請求項２】
請求項１に記載の電子機器において、
前記転送画像特定情報で特定された画像ファイルの前記通信手段による転送が終了した後に前記転送画像特定情報を前記記録媒体から削除する特定情報削除手段を備えたことを特徴とする電子機器。
【請求項３】
被写体を撮像する撮像手段と、
前記撮像手段により撮像された画像の画像ファイルを記録媒体に記録する記録手段と、
転送すべき画像ファイルを特定する転送画像特定情報をタグ情報として前記画像ファイルに形成する特定情報形成手段と、
前記記録媒体に記録された画像ファイルを外部記録装置へ転送するための通信手段と、
前記転送画像特定情報で特定された画像ファイルの前記通信手段による転送を指示する転送指示操作部と、
ユーザによる操作により特定された画像ファイルの削除を指示する削除指示操作部材と、
前記削除指示操作部材の指示に基づいて特定された画像ファイルを削除する処理手段と、
前記転送画像特定情報を参照して、削除指示操作部材により指示された画像ファイルが、転送すべき画像ファイルであるか否かを判定する判定手段と、
前記判定手段により転送すべきと判定された画像ファイルを、前記処理手段が削除することを禁止する禁止手段と、を備えたことを特徴とする電子機器。
【請求項４】
請求項３に記載の電子機器において、
前記転送画像特定情報で特定された画像ファイルの前記通信手段による転送が終了した後に、前記タグ情報を前記画像ファイルから削除する特定情報削除手段を備えたことを特徴とする電子機器。
【発明の詳細な説明】
【技術分野】
【０００１】
本発明は、電子機器に関する。
【背景技術】
【０００２】
デジタルスチルカメラ等の電子カメラでは、撮影された画像データはカメラ内のメモリや、カメラに装着されたメモリカード等の記録媒体に記録される。撮影後の画像データは、通信ケーブルを介してＰＣ（パーソナルコンピュータ）等の記憶装置に転送することができる。従来、画像を保存して残しておきたい場合には、撮影時または画像再生時において画像に転送マーキングを付けて、この転送マーキングの付いた画像だけをＰＣ側に一括転送処理する技術が知られている。転送後は記録媒体に記録されている画像データは消去され、記録媒体は新しい画像データが記録できる状態にされる。また、電子カメラに装着された記録媒体は記録容量に限りがあるため、不要な画像データ、すなわち転送マーキングが付されていない画像データを記録媒体から消去して、新たに撮影された画像データを記録するということが一般的に行われている。
【発明の概要】
【発明が解決しようとする課題】
【０００３】
しかしながら、従来の電子カメラでは、不要な画像データを消去する際に、転送マーキングが付加された画像データ、すなわち残しておきたい画像データまで誤って消去してしまうおそれがあった。
【０００４】
本発明の目的は、画像データが転送すべきデータか否かにより処理を変更することができ、例えば、転送すべき画像データが削除されるのを防止できる電子機器を提供することにある。
【課題を解決するための手段】
【０００５】
請求項１の発明による電子機器は、被写体を撮像する撮像手段と、前記撮像手段により撮像された画像の画像ファイルを記録媒体に記録する記録手段と、転送すべき画像ファイルを特定する転送画像特定情報を、前記画像ファイルとは別個に前記記録媒体に形成する特定情報形成手段と、前記記録媒体に記録された画像ファイルを外部記録装置へ転送するための通信手段と、前記転送画像特定情報で特定された画像ファイルの前記通信手段による転送を指示する転送指示操作部と、ユーザによる操作により特定された画像ファイルの削除を指示する削除指示操作部材と、前記削除指示操作部材の指示に基づいて特定された画像ファイルを削除する処理手段と、前記転送画像特定情報を参照して、削除指示操作部材により指示された画像ファイルが、転送すべき画像ファイルであるか否かを判定する判定手段と、前記判定手段により転送すべきと判定された画像ファイルを、前記処理手段が削除することを禁止する禁止手段と、を備えたことを特徴とする。
請求項３の発明による電子機器は、被写体を撮像する撮像手段と、前記撮像手段により撮像された画像の画像ファイルを記録媒体に記録する記録手段と、転送すべき画像ファイルを特定する転送画像特定情報をタグ情報として前記画像ファイルに形成する特定情報形成手段と、前記記録媒体に記録された画像ファイルを外部記録装置へ転送するための通信手段と、前記転送画像特定情報で特定された画像ファイルの前記通信手段による転送を指示する転送指示操作部と、ユーザによる操作により特定された画像ファイルの削除を指示する削除指示操作部材と、前記削除指示操作部材の指示に基づいて特定された画像ファイルを削除する処理手段と、前記転送画像特定情報を参照して、削除指示操作部材により指示された画像ファイルが、転送すべき画像ファイルであるか否かを判定する判定手段と、前記判定手段により転送すべきと判定された画像ファイルを、前記処理手段が削除することを禁止する禁止手段と、を備えたことを特徴とする。
【発明の効果】
【０００６】
本発明によれば、削除指示された画像ファイルが、転送すべき画像ファイルであるか否かを判定し、転送すべきと判定された画像ファイルを削除することを禁止するので、画像ファイルを誤って削除することを防止できる。
【図面の簡単な説明】
【０００７】
【図１】本発明による電子機器の一実施の形態を示す図であり、（ａ）は電子カメラを上方から見た平面図、（ｂ）はカメラを後方から見た背面図である。
【図２】図１に示す電子カメラの回路ブロック図である。
【図３】画像データをＰＣ２０のハードディスクに転送する場合のシステム構成を示す図である。
【図４】メモリカード４２４内のファイル構造を定性的に示す図である。
【図５】再生時の転送マーキング設定方法を説明する図であり、（ａ）は一コマ再生時を示し、（ｂ）はサムネイル再生時を示す。
【図６】表示ＬＣＤ３に表示された転送マーキング設定メニューを示す図である。
【図７】フリーズ画像表示中の転送マーキング設定を説明する図である。
【図８】転送マーキングの付加から画像転送完了までの処理手順を示すフローチャートである。
【図９】警告マーク３６の表示例を示す図である。
【図１０】変形例におけるフォルダ構成を示す図である。
【図１１】変形例における、転送マーキングの付加から画像転送完了までの処理手順を示すフローチャートである。
【図１２】第２の実施の形態における、転送マーキングの付加から画像転送完了までの処理手順を示すフローチャートである。
【発明を実施するための形態】
【０００８】
−第１の実施の形態−
以下、図を参照して本発明の実施の形態を説明する。図１は本発明による電子機器の一実施の形態を示す図であり、（ａ）は電子カメラ１を上方から見た平面図、（ｂ）は電子カメラ１を後方から見た背面図である。図１（ａ）に示すように、電子カメラ１の上面には、電源のオン／オフ操作を行うメインスイッチ４、撮影動作を行わせるためのレリーズボタン５、およびカメラ情報を表示する表示パネル７が設けられている。この電子カメラ１は、被写体を撮影して得られた画像データを後述するメモリカード４２４に記録する記録モード、メモリカード４２４に記録された画像データを読み出してカメラ背面に設けられた表示ＬＣＤ３（図１（ｂ）参照）に再生表示する再生モードとを有している。この記録モードと再生モードとの切換操作は、ダイヤル６により行う。
【０００９】
図１（ｂ）に示すように、カメラ背面には、画像表示用の表示ＬＣＤ３の他に、ファインダー接眼窓８、撮影光学系２をズーム操作するためのズーム切換ボタン９や各種操作ボタンが設けられている。ズーム切換ボタン９は、そのＷ側が押し込まれると撮影光学系２が広角側に駆動され、Ｔ側が押し込まれると望遠側に駆動される。記録モード時には、後述するＣＣＤ２１４により撮像された被写体像が表示ＬＣＤ３に逐次表示される。一方、再生モード時には、後述するメモリカード４２４に記録されている画像のサムネイル表示や、個々の画像の再生表示などが表示ＬＣＤ３により行われる。
【００１０】
１０は表示ＬＣＤ３に設定メニューを表示させるためのメニューボタンであり、各種設定を行う際に設定メニューを表示させて選択ボタン１１ａ〜１１ｄにより設定すべき項目を選択する。本実施の形態では、設定メニューにより後述する記録モード時の転送マーキングの設定および解除、再生モード時の一括での転送マーキング設定および解除、再転送の設定等を行うことができる。それぞれの設定についての詳細は後述する。また、転送マーキングボタン１２は、画像ファイル毎に転送マーキングを付加する際に使用するプッシュ式の操作ボタンである。画像ファイル転送を開始させる際には、転送ボタン１３がプッシュ操作される。１４は、メモリカード４２４（図２を参照）に記録されている画像ファイルを削除するための削除ボタンである。なお、後述するように転送マーキングボタン１２は、転送マーキングを解除する際にも用いられる。
【００１１】
図２は図１に示した電子カメラの回路ブロック図である。ＲＯＭ４４３には、電子カメラ１の制御プログラムが記憶されている。メインスイッチ４をオンにすると電子カメラ１の電源がオンとなり、この制御プログラムがＣＰＵ４３９によって起動される。ダイヤル６により記録モードに設定されると、電子カメラ１は撮影可能となる。一方、ダイヤル６により再生モードに設定されると、記録媒体であるメモリカード４２４に記録されている画像データに基づく画像を表示ＬＣＤ３に再生表示することができる。なお、記録モード時には、ＣＣＤ２１４からの撮像信号に基づく画像が表示ＬＣＤ３に表示される。
【００１２】
撮影光学系２は複数のレンズ２０１〜２０４を有しており、焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。
【００１３】
撮影光学系２のレンズ２０３とレンズ２０４との間には、シャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４１５、４０８により駆動される。絞り板２１５には開口面積の異なる複数の絞り開口部（不図示）が設けられており、ステップモータ４１５で絞り板２１５を回転させて任意の１つの絞り開口部を光軸上に配設する。
【００１４】
シャッタ板２０８にはレンズ２０３を通過した全ての光束を遮光する完全遮光部（不図示）と、全ての光束を通過させる開口部（不図示）とが設けられている。露光時にはシャッタ板２０８の開口部が光路上にセットされ、露光終了とともに完全遮光部が光路上にセットされる。絞り板２１５を回動するステップモータ４１５は、駆動回路４５３により駆動制御される。シャッタ板２０８を回動するステップモータ４０８は、シャッタ駆動回路４５４により駆動制御される。
【００１５】
撮影の際には、まず、ＣＣＤ２１４に蓄積されている電荷が排出されるとともに、絞り板２１５の所定の開口部が光路上にセットされる。そして、ＣＣＤ２１４が所定時間露光されると電荷が再び蓄積される。上記電荷の排出から再びシャッタ板２０８の完全遮光部で光路が遮光されるまでの時間が、露光時間に対応している。
【００１６】
撮影光学系２によりＣＣＤ２１４の撮像面上に被写体像が結像されると、被写体像の光の強弱に応じた信号電荷が蓄積される。ＣＣＤ２１４にはデジタルシグナルプロセッサ(以下、ＤＳＰと呼ぶ)４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００１７】
画像処理部４３１はノイズ除去回路や直流再生回路などを有しており、ＣＣＤ２１４から出力された画像信号に対してノイズ除去、ゲインコントロールなどのアナログ処理を施す。画像処理部４３１から出力されたアナログの画像信号は、アナログ／デジタル変換回路(以下、Ａ／Ｄ変換回路と呼ぶ)４３２によりデジタル信号に変換される。変換後のデジタル画像データは、上述したＤＳＰ４３３に入力される。
【００１８】
ＤＳＰ４３３では、Ａ／Ｄ変換回路４３２から出力された画像データに対して輪郭補償やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させた後に、バッファメモリ４３６から画像データを読出し、所定の圧縮形式（例えば、ＪＰＥＧ方式）でデータ圧縮してメモリカード４２４に記録させる。
【００１９】
また、ＤＳＰ４３３は、ＣＣＤ２１４で撮像され上記画像処理が行われた後の画像データやメモリカード４２４から読み出され伸張された画像データをフレームメモリ４３５に記憶させ、それらの画像データに基づく画像を電子カメラ１に設けられた表示ＬＣＤ３に表示させる。さらに、ＤＳＰ４３３は、上述した画像データのメモリカード４２４への記録や伸張後の撮影画像データのバッファメモリ４３６への記録などにおける、データ入出力のタイミング管理も行う。
【００２０】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力するとともに、後述するモニタオンオフ制御の際のタイマとしても用いられる。このタイムデータは、上述した画像データとともにメモリカード４２４に記録される。
【００２１】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インタフェース４４８は、所定の外部装置(不図示)との間でデータの送受信を行うために設けられたものであり、本実施の形態ではＵＳＢインタフェースが設けられている。２３はＵＳＢ通信ケーブルが接続可能なＵＳＢ接続端子である。４４０は表示パネル７を制御する表示回路である。
【００２２】
《記録モード時の動作説明》
次に、記録モード時の動作の概略を説明する。記録モードでは、レリーズボタン５の操作が行われなくても、ＣＣＤ２１４で撮像された被写体画像がスルー画像として表示ＬＣＤ３に逐次表示される。すなわち、ＣＣＤ２１４から出力された画像信号は、画像処理部４３１でノイズ除去やゲインコントロールなどのアナログ処理が施された後に、Ａ／Ｄ変換回路４３２によりデジタル信号に変換される。デジタル変換された信号は上述したＤＳＰ４３３に導かれ、そこで輪郭補償、ガンマ補正等の画像前処理が行われて一旦バッファメモリ４３６に格納される。
【００２３】
その後、ホワイトバランス調整が行われた後に、表示ＬＣＤ３に表示するための画像データに処理される。処理された画像データはフレームメモリ４３５に書き込まれ、スルー画像と呼ばれる撮影モニタ画像として表示ＬＣＤ３に表示される。このスルー画像は、以上の動作が繰り返し行われることにより、撮影光学系２に入射される被写体光に基づいて所定の間隔で逐次更新される。
【００２４】
レリーズボタン５の半押しにより不図示の半押しスイッチがオンとされると、画像データのコントラストに基づいて撮影光学系２の焦点調節状態が検出され、ピントの合った被写体像がＣＣＤ２１４上に結像されるようにレンズ駆動回路４３０による焦点調節動作が行われる。また、レリーズボタン５が半押しされると、ＣＰＵ４３９により画像データから被写体の輝度が検出され、検出された輝度に基づいた露出演算が行われる。
【００２５】
レリーズボタン５の半押しに続いて、さらにレリーズボタン５が全押しされると不図示の全押しスイッチがオンとなる。その結果、ＣＣＤ２１４に蓄積されている信号電荷が一旦吐き出された後に、シャッタ板２０８と絞り板２１５とが露出演算の結果に基づいて駆動され、ＣＣＤ２１４による撮像が行われる。
【００２６】
この撮像によりＣＣＤ２１４から出力された画像信号は、上述した一連の処理が施されバッファメモリ４３６に格納される。バッファメモリ４３６に格納された画像データは、ＤＳＰ４３３において表示ＬＣＤ３に表示するための画像データに処理された後にフレームメモリ４３５に書き込まれ、フリーズ画像と呼ばれる撮影画像が表示ＬＣＤ３に表示される。このような画像前処理が行なわれた画像データは、さらにＤＳＰ４３３によりデータ圧縮が行われ、ＣＰＵ４３９により所定のデータ名を付与されてタイマ４４５からのタイム情報とともに、フラッシュメモリ等の記録媒体（ＰＣカード、ＣＦカードなど）であるメモリカード４２４に記録される。
【００２７】
次に、メモリカード４２４に記録された画像データの転送について説明する。図３は、画像データをＰＣ２０のハードディスクに転送する場合のシステム構成を示す図である。電子カメラ１は、そのＵＳＢ接続端子２３とＰＣ２０のＵＳＢ接続端子２４とＵＳＢケーブル２１で接続することによりＰＣ２０に接続される。２２はＰＣ２０に接続されたモニタである。ＰＣ２０には転送処置用ソフトウェアが予めインストールされており、このソフトウェアを起動する。次いで、電子カメラ１の転送ボタン１２をプッシュすると、ＰＣ２０への画像転送が開始される。本実施の形態の電子カメラでは、メモリカード４２４に記録された画像データに後述する転送マーキングを付加することができ、画像転送の際には転送マーキングが付された画像データのみが転送される。
【００２８】
なお、本実施の形態では、予め転送処理用ソフトウェアを起動するようにしているが、ＵＳＢケーブル２１を介して電子カメラ１が接続されたことを認識して、自動的に起動するような構成としても良い。そのような場合、電子カメラ１をＰＣ２０と接続し、電子カメラ１側の転送ボタン１３を操作するだけで画像ファイルの転送が行えるので、転送に関する操作が非常に簡単になる。
【００２９】
電子カメラ１の転送ボタン１３を操作すると、メモリカード４２４内に「order.job」というファイル２５が生成される。「order.job」ファイル２５はＰＣ２０により参照されるファイルであり、ＰＣ２０が「order.job」ファイル２５に記載された「transfer」という命令２５ａを読み込むと、ＰＣ２０による画像ファイル転送が開始される。ＰＣ２０は、メモリカード４２４内に「order.job」ファイル２５を検出すると、メモリカード４２４内に「reply.job」というファイル２６を作成する。この「reply.job」ファイル２６は電子カメラ１により参照される。
【００３０】
画像ファイルの転送が完了すると、ＰＣ２０は「reply.job」ファイル２６に「finish」という命令２６ａを記載する。電子カメラ１は、「reply.job」ファイル２６の「finish」命令２６ａにより、メモリカード４２４内の「order.job」ファイル２５を削除する。また、ＰＣ２０は、メモリカード４２４内から「order.job」ファイル２５が削除されたことを認識すると、メモリカード４２４内の「reply.job」ファイル２６を削除する。このように、メモリカード４２４を仲立ちにしてカメラ側の処理とＰＣ側の処理とが関連づけて行われ、ＰＣ２０への画像データの転送作業が行われる。
【００３１】
《転送マーキングの説明》
メモリカード４２４内には「ＤＣＩＭ」というディレクトリが作成され、図４はそのディレクトリ内のファイル構造を定性的に示したものである。ＤＣＩＭディレクトリには、「１００ＮＩＫＯＮ」という名称の画像フォルダ４４が予め形成される。撮影により得られた画像データの画像ファイル４５は、この画像フォルダ４４内に格納される。画像ファイル４５には、撮影した順に「DSCN0001.jpg」，「DSCN0002.jpg」，「DSCN0003.jpg」のようにファイル名が付加される。図４の例では、「DSCN0001.jpg」〜「DSCN0010.jpg」までの１０個の画像ファイル４５が格納されている。
【００３２】
例えば、図５（ａ）のように表示ＬＣＤ３に一コマ画像を再生表示させて転送マーキングボタン１２をプッシュ操作すると、リストファイル４７が生成されて、表示されている画像のファイル名４８がリストファイル４７に記録される。表示ＬＣＤ３には転送マーキングが付加されたことを示す転送マーク３３が表示される。図４において４６はリストファイル４７の記録内容を示したリストであり、図４に示す例ではリスト４６には「DSCN0002.jpg」，「DSCN0004.jpg」という名称のファイル名４８が記録されている。「画像データ（画像ファイル）に転送マーキングが付加される」とは、このようにリストファイル４７に画像ファイル名４８が記録されることを意味している。また、転送マーキングを解除すると、解除された画像ファイル４５のファイル名４８がリストファイル４７から削除される。
【００３３】
ＰＣ２０の転送用ソフトウェアは、ＰＣ２０がこのリストファイル４７を参照し、リストファイル４７に記録されているファイル名の画像ファイル４５のみが画像フォルダ４４からＰＣ２０に転送されるようにＰＣ２０を制御する。
【００３４】
ところで、再生モードでは、図１の削除ボタン１４を操作してメモリカード４２４に記録された画像ファイル４５を一コマずつ削除したり、削除に関する設定メニューで全ての画像ファイル４５を一括削除したりすることができる。本実施の形態では、画像ファイル４５に転送マーキングが付加されるとその画像ファイル４５は削除禁止となり、削除指示があってもその指示は無視される。図４に示す例で一括削除を行うと、ファイル名「DSCN0002.jpg」，「DSCN0004.jpg」の画像ファイル４５以外の画像ファイル４５は画像フォルダ４４から削除される。なお、ファイル名「DSCN0002.jpg」，「DSCN0004.jpg」の画像ファイル４５についても、転送マーキングを解除すれば削除が可能である。全ての転送マーキングが解除されると、リストファイル４７が画像フォルダ４４から削除される。
【００３５】
《転送マーキング設定のタイミングについて》
上述した転送マーキングの設定は、転送作業を行う前に予め設定される。転送マーキングの設定は、記録モードおよび再生モードのいずれの場合でも行うことができる。記録モードの場合、(a)設定メニューによる一括設定と、(b)撮影直後のフリーズ画像表示中に設定する方法とがある。一方、再生モードの場合には、(c)表示ＬＣＤ３に一コマ再生表示して設定する方法と、(d)表示ＬＣＤ３にサムネイル再生表示させて設定する方法と、(e)記録モードの場合と同様に設定メニューにより一括設定／解除する方法とがある。
【００３６】
（ａ）設定メニューにより一括設定する方法
設定メニューにより一括設定する場合には、メニューボタン１０および選択ボタン１１ａ〜１１ｄをプッシュ操作して、図６に示すような転送マーキング設定メニューを表示ＬＣＤ３に表示させる。メニューには「設定」と「解除」の項目が表示され、マーク３２は「設定」の項目が選択状態であることを示している。この選択状態は、選択ボタン１１ａ，１１ｂをプッシュ操作することにより変更することができる。
【００３７】
選択ボタン１１ｄをプッシュすると、選択状態が確定される。すなわち、図６のように「設定」を選択して選択ボタン１１ｄをプッシュすると、電子カメラ１は転送マーキング設定状態となる。転送マーキング設定状態では、撮影された画像データの全てに対して転送マーキングが自動的に付加される。一方、「解除」の項目を選択して確定すると転送マーキング解除状態になり、撮影された画像データには転送マーキングが付加されない。なお、再生モードの場合の一括設定／解除操作も記録モードの場合と同様であり、一括設定によりメモリカード４２４に記録されている全ての画像ファイル４５に転送マーキングが付加される。逆に、解除が設定されると、画像ファイル４５に付加されていた転送マーキングが解除される。
【００３８】
（ｂ）フリーズ画像表示中にマーキングを設定する方法
前述した動作説明に記したように、レリーズボタン５が全押しされて撮影動作が行われ撮影画像のメモリカード４２４への記録中には、図７に示すように撮影された画像が所定時間だけフリーズ画として表示ＬＣＤ３に表示される。マーク３４は画像記録中であることを示すマークである。このマーク３４が表示されている間に転送マーキングボタン１２をプッシュ操作すると、画像データに転送マーキングが付加されて転送マーク３３が表示される。
【００３９】
なお、撮影前に上述した一括設定がされている場合は、転送マーキングボタン１２をプッシュ操作しなくとも図７のような転送マーク３３が表示ＬＣＤ３に表示される。また、画像記録中にはクイックデリートマーク３５が表示ＬＣＤ３に表示され、このマーク３５が表示されている最中に削除ボタン１４を操作するとメモリカード４２４への記録がキャンセルされる。ただし、上述しように、転送マーキングを付加した後は削除命令は無視されて、メモリカード４２４への記録が続行される。
【００４０】
（ｃ）一コマ再生表示により設定する方法
前述した図５（ａ）は一コマ再生表示時の表示ＬＣＤ３を示す図であり、画像とともに撮影日時４０や画像データのファイル名４１等が表示される。この一コマ再生表示状態で図１の転送マーキングボタン１２をプッシュ操作すると、画像データに転送マーキングが付加されて、転送マーク３３が表示ＬＣＤ３に表示される。なお、記録モード時に転送マーキングが付加された画像データは、再生表示すると図５（ａ）のように画像とともに転送マーク３３が表示される。
【００４１】
（ｄ）サムネイル画像を再生表示させて設定する方法
前述した図５（ｂ）はサムネイル画像が表示された表示ＬＣＤ３を示す図である。表示ＬＣＤ３には、縦方向に３枚、横方向に３枚が表示され、合計９枚のサムネイル画像が表示されている。図５（ｂ）では、中央に表示された５番目のサムネイル画像が選択状態にあり、選択枠４２が表示されている。この選択枠４２は、図１の選択スイッチ１１ａ〜１１ｄを操作することにより上下・左右のサムネイル画像に移動させることができる。図５（ｂ）に示す選択状態で図１の転送マーキングボタン１２をプッシュ操作すると、５番目の画像に転送マーキングが付加されて転送マーク３３が表示される。サムネイル画像表示時には、複数の画像データに対して順に転送マーキングを付加することができる。
【００４２】
なお、図５の（ａ），（ｂ）のように転送マーク３３が表示されている状態で転送マーキングボタン１２を再度プッシュすると、転送マーキングが解除されて転送マーク３３の表示も消える。
【００４３】
《転送動作の説明》
次に、転送動作について説明する。図８は転送マーキングの付加から画像転送完了までの処理手順を示すフローチャートである。なお、以下では転送マーキング操作は転送マーキングボタン１２の操作により行われ、画像削除は削除ボタン１４により行われる場合について説明する。ステップＳ１０１では、転送マーキングボタン１２が操作がされたか否かを判定する。ステップＳ１０１でＮＯと判定されるとステップＳ１１３へ進み、転送マーキングに関する動作が無いときの通常のルーチンが行われる。一方、ステップＳ１０１においてＹＥＳと判定されると、ステップＳ１０２へ進んでダイヤル６の設定が記録モードか再生モードかを判定する。ステップＳ１０２において記録モードと判定されるとステップＳ１０３へ進み、再生モードと判定されるとステップ１０５へ進む。
【００４４】
ステップＳ１０３では画像撮影がされたか否かを判定し、ＹＥＳと判定されるとステップＳ１０４へ進み、ＮＯと判定されるとステップＳ１０６へ進む。ステップＳ１０４では、撮影された画像の画像ファイル４５がメモリカード４２４の画像フォルダ４４に記録されるとともに、リストファイル４７にファイル名４８が記録される。一方、ステップＳ１０２で再生モードと判定されてステップＳ１０５に進んだ場合には、図５（ａ）のように表示ＬＣＤ３に表示されている画像ファイル名、または、図５（ｂ）のようにサムネイル表示されて選択枠４２の付いた画像のファイル名がリストファイル４７に記録され、表示ＬＣＤ３に転送マーク３３を表示する。ステップＳ１０６では削除ボタン１４が操作されたか否かを判定し、ＹＥＳと判定されるとステップＳ１０７へ進み、ＮＯと判定されるとステップＳ１１０へ進む。
【００４５】
ステップＳ１０７では、削除指示された画像ファイル４５のファイル名４８がリストファイル４７に記録されているか否かを判定する。ステップＳ１０７においてＮＯと判定されると、ステップＳ１０８へ進んで削除指示された画像ファイル４５を画像フォルダ４４から削除し、ステップＳ１１０へ進む。一方、ステップＳ１０７でＹＥＳと判定されるとステップＳ１０９へ進み、図９のように消去不可であることを示す警告マーク３６を表示ＬＣＤ３に表示する。
【００４６】
ステップＳ１１０では転送ボタン１３が操作されたか否かを判定し、ＹＥＳと判定されるとステップＳ１１１へ進み、ＮＯと判定されるとステップＳ１０１へ戻る。ステップＳ１１１では、リストファイル４７に記録されているファイル名４８を有する画像ファイル４５がＵＳＢケーブル２１を介してＰＣ２０に転送される。例えば、図４に示す例では、ファイル名「０００２．ｊｐｇ」，「０００４．ｊｐｇ」の画像データがＰＣ２０に転送される。ステップＳ１１２では、リストファイル４７が削除される。
【００４７】
《変形例》
以下に示す変形例では、画像データの転送が完了すると、図１０に示すように転送済リストファイル４９が画像フォルダ４４に生成される。５０は転送済リストファイル４９の記録内容を示した転送済リストである。転送完了済の画像ファイル４５のファイル名４８はリストファイル４７から削除され、転送済リストファイル４９に転記される。図１０に示す例では、ファイル名「DSCN0002.jpg」，「DSCN0004.jpg」の画像ファイル４５が転送完了となっており、ファイル名「DSCN0005.jpg」，「DSCN0007.jpg」の画像ファイル４５は未転送状態である。
【００４８】
例えば、図１０の状態で画像転送を強制終了した場合には、ファイル名「DSCN0005.jpg」，「DSCN0007.jpg」の画像ファイル４５はＰＣ２０側には転送されていないことになる。この状態で再び転送ボタン１３をプッシュ操作して転送動作を開始させると、ＰＣ２０はリストファイル４７を参照し、それに記録されているファイル名「DSCN0005.jpg」，「DSCN0007.jpg」の画像ファイル４５をメモリカード４２４の画像フォルダ４４からＰＣ２０側に転送する。また、設定メニューにより再転送を指示すると、転送済リストファイル４９に記録されているファイル名３８が削除され、ファイルリスト４７に転記される。その後、転送ボタン１３を操作すると、リストファイル４７に記録されているファイル名「DSCN0002.jpg」，「DSCN0004.jpg」，「DSCN0005.jpg」，「DSCN0007.jpg」の画像ファイル４５が画像フォルダ４４からＰＣ２０側に転送される。
【００４９】
図１１は変形例の場合のフローチャートであり、図８と同様の処理には同一の符号を付した。以下では、図１０を参照しながら図１１の処理手順を説明する。図１１のステップＳ１０１からステップＳ１１１までの処理手順は図８のフローチャートと同一であり、ステップＳ２０１では一コマ分の画像ファイル４５を転送する。次いで、ステップＳ２０２では、転送された画像ファイル４５のファイル名４８をファイルリスト４７から削除する。すなわち、ステップＳ２０１でファイル名「DSCN0002.jpg」の画像ファイル４５を転送したならば、ステップＳ２０２でファイル名「DSCN0002.jpg」をファイルリスト４７から削除する。
【００５０】
ステップＳ２０３では、ステップＳ２０２で削除したファイル名「DSCN0002.jpg」を転送済リストファイル４９に記録する。ステップＳ２０４では、リストファイル４７に記録されているファイル名３８の画像ファイル４５が全て転送完了したか否かを判定する。ステップＳ２０４で転送未完了と判定されると、ステップＳ２０１へ戻ってリストファイル４７の２番目に記録されているファイル名「DSCN0004.jpg」の画像ファイル４５を転送する。ステップＳ２０２，Ｓ２０３ではファイル名「DSCN0004.jpg」に関する各処理が行われる。このようにして、リストファイル４７に記録されている全てのファイル名３８に関する画像ファイル４５の転送が完了すると、ステップＳ２０４からステップＳ１０１へ戻る。
【００５１】
通常、電子カメラで撮影した場合、後まで残しておきたい画像に関しては、その画像ファイルをカメラの記録媒体（上述した実施の形態ではメモリカード４２４）からＰＣのハードディスク装置等に転送して記録しておくのが一般的である。上述した第１の実施の形態の電子カメラ１では、ＰＣ２０等へ転送すべき画像ファイル４５に転送マーキングを付加することにより、転送マーキングが付加された画像ファイル４５のみが転送される。そして、転送マーキングが付加された画像ファイル４５は削除が禁止され、削除ボタン１４を操作すると図９に示したような警告マーク３６が表示ＬＣＤ３に表示される。その結果、使用者は削除しようとした画像ファイル４５に転送マーキングが付加されていることに気付き、転送マーキングが付加された画像ファイル４５を誤って削除してしまうのを防止することができる。
【００５２】
また、転送済リストファイル４９を作成することにより、再び同じ画像ファイル４５を転送するような場合に再転送作業が簡単になる。例えば、転送中に電子カメラ１のバッテリが消耗して転送が中断してしまった場合に効果的である。
【００５３】
−第２の実施の形態−
上述した第１の実施の形態では、リストファイル４７のファイル名４８を記録することにより転送マーキングを設定したが、以下で説明する第２の実施の形態では、画像ファイル４５に転送マーキングに関するタグ情報を付加記録するようにした。ＰＣ２０は各画像ファイル４５毎にタグ情報が付いているか否かを認識し、タグ情報が付加されている画像ファイル４５のみをＰＣ２０側に読み込むようにした。
【００５４】
図１２は、上述した図８のフローチャートと同様に、転送マーキングの付加から画像転送完了までの処理手順を示すフローチャートである。図８と同一の処理には同一の符号を付した。図１２のフローチャートでは、ステップＳ１０３で画像撮影がされたと判定されるとステップＳ３０１へ進む。ステップＳ３０１では、画像ファイル４５に転送マーキングに関するタグ情報を記録する。なお、第２の実施の形態では、図４に示すようなリストファイル４７は生成されない。
【００５５】
一方、ステップＳ１０２で再生モードと判定されるとステップＳ３０２へ進む。ステップＳ３０２では、図５（ａ）のように表示ＬＣＤ３に表示されている画像ファイル４５、または、図５（ｂ）のようにサムネイル表示されて選択枠４２の付いた画像ファイル４５に転送マーキングに関するタグ情報を記録し、表示ＬＣＤ３に転送マーク３３を表示する。
【００５６】
また、ステップＳ１０６で削除ボタン１４が操作されたと判定されると、ステップＳ３０３へ進んで画像ファイル４５にタグ情報が有るか否かが判定される。ステップＳ３０３においてタグ情報が無いと判定されると、ステップＳ１０８に進んで画像ファイル４５が画像フォルダ４４から削除される。一方、ステップＳ３０３でタグ情報が有ると判定されると、ステップＳ１０９へ進んで図９のように消去不可であることを示す警告マーク３６を表示ＬＣＤ３に表示する。その後、ステップＳ１１０で転送ボタン１３が操作されたと判定されてステップ１１１で画像転送が行われたならば、ステップＳ３０４において転送された画像ファイル４５のタグ情報を削除してステップＳ１０１へ戻る。
【００５７】
上述した第１の実施の形態では、転送済リストファイル４９を生成して転送中断に対する対応を図った。第２の実施の形態の場合には、転送済みに関するタグ情報を各画像ファイル４５に記録することにより、第１の実施の形態と同様の取り扱いが可能となる。そのため、第２の実施の形態の電子カメラにおいても、上述した第１の実施の形態と同様の効果を得ることができる。
【００５８】
また、上述した実施の形態では、転送マーキングが付加された画像ファイル４５については削除処理が禁止されるようにした。このような転送マーキングが付加された画像ファイル４５に対する制御例としては、削除禁止の他に次のようなものがある。
（１）画像ファイル４５へのプリント枚数情報の付加
画像ファイル４５にプリント枚数情報を付加できるものが知られているが、通常、デフォルトでは０枚に設定されている。そこで、転送マーキングが付加されたならば、プリント枚数を１枚に設定する。なお、既にプリント枚数が設定されている画像ファイル４５の場合には、転送マーキングが付加されても設定を変更しない。
【００５９】
（２）画像ファイル４５への転送回数情報の付加
画像ファイル４５に初めて転送マーキングを付加すると、例えば画像ファイル４５のヘッダに転送回数情報として１が記録される。その後、転送マーキングが解除された後に再び転送マーキングが付加されると、転送回数情報に１が加えられて２に更新される。その後、転送マーキングが付加される度に転送回数情報が１だけ増加する。ヘッダには、カメラＩＤやユーザＩＤ等も記録されるため、画像ファイル４５の履歴管理がし易くなる。また、転送回数情報を用いて画像ファイル４５の二次配信の制御等が可能になる。
【００６０】
（３）メモリカード４２４のフォーマット処理の禁止
メモリカード４２４内に転送マーキングが付加された画像ファイル４５がある場合には、メモリカード４２４のフォーマット処理を禁止する。その結果、フォーマット処理による画像ファイル４５の誤削除を防止することができる。
【００６１】
（４）画像ファイル４５のフォルダ間の移動処理を禁止する。
メモリカード４２４内には複数の画像フォルダを作成することができ、上述した第１の実施の形態の場合には、各画像フォルダにリストファイル４７が作成される。そのため、転送マーキングが付加された画像ファイル４５を他の画像フォルダに移動すると、画像ファイル４５が格納されているフォルダと、その画像ファイル４５のファイル名４８が記録されたリストファイル４７の格納されているフォルダとが異なることになり、正常な転送が行えなくなる。そこで、第１の実施の形態の場合には、転送マーキングが付加された画像ファイル４５のフォルダ間移動を禁止する。
【００６２】
（５）画像ファイル４５のフォルダ間移動処理をした場合には、ファイル名を異動先のフォルダのリストファイル４７に移動する。
（６）画像ファイル４５のファイル名の変更を禁止する。
（５）および（６）も、上述したフォルダ間移動禁止の場合と同じ理由から、正常な転送動作が阻害されないための制御例である。いずれも、リストファイル４７が作成される第１の実施の形態に適用される。転送マーキングに関するタグ情報を画像ファイル４５に記録する第２の実施の形態では、（５）および（６）のような制御を行わなくても不都合は生じない。
【００６３】
なお、上述した実施の形態では、ＵＳＢ通信により画像ファイル４５の転送を行ったが、ブルートゥースなどの無線方式を用いても良い。また、転送ボタン１３と転送マーキングボタン１２とを別個に設けたが、同一のボタンに転送とマーキングとの両方の機能を持たせても良い。この場合、外部へのデータ転送手段（ＵＳＢ等の有線通信またはブルートゥース等の無線通信）の動作状況に応じて機能をいずれかに切り換える。例えば、ＵＳＢ通信の場合には、ＵＳＢケーブルによりＰＣ等と接続されたときには転送機能に切り替わり、非接続状態のときにはマーキング機能に切り替わるようにすれば良い。さらにまた、電子カメラに限らず、撮像素子を有し、データ転送が可能なＰＤＡや携帯電話などにも本発明は適用できる。
【００６４】
以上説明した実施の形態と特許請求の範囲の要素との対応において、ＣＣＤ２１４は撮像手段を、メモリカード４２４は記録媒体を、リストファイル４７は画像特定情報を、転送マーキングボタン１２およびＣＰＵ４３９は特定情報形成手段を、ＰＣ２０は外部記録装置を、転送ボタン１３は転送指示操作部を、ＵＳＢ接続端子２３およびインタフェース４４８は通信手段を、削除ボタン１４およびＣＰＵ４３９は処理手段を、ＣＰＵ４３９は記録手段、制御手段および特定情報削除手段をそれぞれ構成する。
【符号の説明】
【００６５】
１  電子カメラ
３  表示ＬＣＤ
１０  メニューボタン
１１ａ〜１１ｄ  選択ボタン
１２  転送マーキングボタン
１３  転送ボタン
１４  削除ボタン
２０  ＰＣ（パーソナルコンピュータ）
２１  ＵＳＢ通信ケーブル
２３  ＵＳＢ接続端子
３３  転送マーク
３６  警告マーク
４４  画像フォルダ
４７  リストファイル
４９  転送済リストファイル
２１４  ＣＣＤ
４２４  メモリカード
４３９  ＣＰＵ
４４８  インタフェース
【図１】
2011061818.tif 000003
【図２】
2011061818.tif 000004
【図３】
2011061818.tif 000005
【図４】
2011061818.tif 000006
【図５】
2011061818.tif 000007
【図６】
2011061818.tif 000008
【図７】
2011061818.tif 000009
【図８】
2011061818.tif 000010
【図９】
2011061818.tif 000011
【図１０】
2011061818.tif 000012
【図１１】
2011061818.tif 000013
【図１２】
2011061818.tif 000014